(57)【要約】      （修正有）【課題】多目的用途のフェイスマスクの提供を行う。【解決手段】繊維素材からなる不織布シートの繊維の並びの方向と顔面上から喉の方向と合わせて打ち抜いたフェイスマスクの平面体を、立体型のフェイスマスクとし、予め対応する鼻部や下顎部の領域に縦方向や「ハ」字状に走るミシン目状の切り込み線を複数列設け、切り欠き孔、切り込み線、輪郭を刃型で打ち抜いて、立体型への加工を打ち抜きと同時か或いは後に行い、顔の縦の方向の中心軸として左右対称とし、観音開きをする為の二つに折りたたみ、立体加工した部位が薬事の規定する一定期間安定した形状を維持させる折りを行い、肌を加齢や外界からの刺激から守る製剤を含浸或いは塗布し高バリヤーの袋に、又は薬剤を含ませずドライの滅菌袋で滅菌処理を行い、それぞれ使用する回数分を封入させる。【選択図】図１
2011125610.tif 000002
【特許請求の範囲】
【請求項１】
繊維素材からなる不織布シートを、繊維の並び方向と顔面の縦方向の向きとを合わせてほぼ顔全体を覆う平面体に打ち抜き、これを仮面の横顔に似た形状の左右対称に二つ折りしたフェイスマスクであって、このフェイスマスクの二つ折り線上に設けた鼻部対応の領域には、ハ字状あるいは縦方向に走るミシン目を複数列形成しその一部を開いて横顔状態での鼻筋とほぼ同形とし、左右の眼にそれぞれ対応した箇所には略横長の楕円孔を、左右の目じりからこめかみにかけての部分に対応した箇所には波紋状に広がる弓状の複数本のミシン目を、かつその外側の二つ折りの縁部分につまみ用突出部をそれぞれ設け、さらに左右の頬部に対応した個所には縦に平行したミシン目を、口に対応した箇所には略横長の楕円孔をそれぞれ施し、マスクの外周縁部が顎部分まで覆う形状とした立体型のフェイスマスク。
【請求項２】
フェイスマスクは口に対応した箇所に略横長の楕円孔を設け、かつこれに連続して顎先端部分から喉までを覆う形状とし、顎先端部分に対応して横に複数列並行した縦並びのミシン目を形成した請求項１に記載の立体型のフェイスマスク。
【請求項３】
繊維素材からなる不織布シートを、その繊維の並び方向と顔面の縦方向の向きとを合わせて顔面の額から両眼そして鼻部を覆う上部フェイスマスクと、口部から下顎両片部を経て喉部を覆う下部フェイスマスクの２つの平面体に打ち抜き、この２つの平面体を左右対称に二つ折りした仮面の横顔に似たる形状の立体型のフェイスマスクであって、
上部フェイスマスクの二つ折り線上に設けた鼻部を覆う領域には、ハ字状あるいは縦方向に走るミシン目を複数列形成しこれを一部開いて二つ折りにし横顔状態での鼻筋とほぼ同形とし、左右の眼にそれぞれ対応した箇所には略横長の楕円孔を、左右の目じりからこめかみにかけての部分に対応した箇所には波紋状に広がる弓状の複数本のミシン目を、かつこめかみの外側の二つ折りの縁部分につまみ用突出部をそれぞれ設け、左右の頬部に対応した個所には縦に平行したミシン目を、マスクの外周縁部は額上部の両端から左右こめかみの縁を経て両頬部端の部位までを覆う形状とし、
下部フェイスマスクは口に対応した箇所に略横長の楕円孔を設けるとともにこれに連続して顎先端部分から喉まで覆う形状とし、二つ折り線上に設けた顎先端部分に対応した領域には横に複数列並行した縦並びのミシン目を形成し、マスクの外周縁部は人中から左右両頬部へ下顎両片部を経て喉部分までを覆う形状とした立体型のフェイスマスク。
【請求項４】
左右下顎端の縁部双方から引っ張るリフト機能をより向上させる為の口に対応した箇所に形成する孔部は、小さい縦向き楕円孔を横一列に複数個並べたものである請求項１から３のいずれかに記載の立体型のフェイスマスク。
【発明の詳細な説明】
【技術分野】
【０００１】
本発明は化粧の用法や医療雑貨の用法そして外界刺激から肌を守る立体型のフェイスマスクに関する。更に詳しくはフェイスマスクを不織布シートから打ち抜く際のシート素材としては、自然繊維で薬事法上定められた主原料の原料吸着率が低く、一定期間内においても薬効の効果が安定している素材や紫外線を反射させる素材（以下これを繊維素材と略称する）を用いたものである。
【０００２】
シート素材を打ち抜く形状は、顔全体を覆う１枚のシート、顔全体に喉部までを加えて覆う１枚のシート、顔上部と顔下部から喉部を分けて覆う２枚シートの３つのタイプとし、不織布繊維の並びの方向と顔面縦方向との向きを合わせて打ち抜いたシートで構成されたものである。
【０００３】
好ましいフェイスマスクの形態は、顔の上から下の左右対称とする真ん中の線上に鼻筋や下顎中央部を対応させて領域には縦方向や「ハ」字状に走るミシン目状の切り込み線を複数列配し、左右対称の二つに折られた仮面に似たる形状として、使用する際には左右縁部の一部をつまみ、二つに折られたシートを観音開き状に開いて鼻部を中心にして顔にあてがい、顔の全体および下顎部にまたがるように、または顔上部と顔下部から喉部を分けて貼付することでフェイスマスクは立体型となるものである。
【背景技術】
【０００４】
従来、美容液を含浸した状態で顔面上に載置される平面体のフェイスマスクが使用されている。これらのフェイスマスクは、不織布やゲルシート（以下これを不織布と略称する）の含水シートを素材とし、ほぼ顔面全体を二面体の形状で、これらフェイスマスクは概ね両眼、鼻、口及び下顎部に対向する部分に切り欠き孔や切り込み線が施されたフェイスマスクで二面体に形成されている。
【先行技術文献】
【特許文献】
【０００５】
【特許文献１】特開２００８−２８９８２１            使用者は、フェイスマスクが二面体であるので装着するイメージ創りや載置する位置の決め手となる順位に手間暇が必要とする平面体であることから、より簡単で装着のイメージが早くでき載置し易い仮面に似たる立体型のフェイスマスクに加工を行う機能の付加は、用法の効果がより身近に捉えられて頻繁な使用に繋がり、使用者の年齢や性別を問わず利用の目的が多岐に亘る化粧品の分野のみならず医療雑貨やスポーツ用品の分野への対応もユニークであり本来は必要なことである。
【０００６】
フェイスマスクは、不織布シートを輪郭及び切り欠き孔や切り込み線部は刃型で打ち抜くことによって作成される。
【発明の概要】
【発明が解決しようとする課題】
【０００７】
本発明が解決しようとする技術的な課題は、装着がスムーズで載置が容易な仮面に似たる左右対称の二つ折りしたフェイスマスクであり、シート素材を打ち抜く３つのタイプは、顔全体を覆う１枚のシート、顔全体に喉部までを加えて覆う１枚のシート、顔全体に喉部までを加えて覆う領域を上部と下部に分けた顔上部とする頬の下部から鼻下の人中の領域を経てもう一方の頬の下部を結んだ線から上の領域に伸ばして概ね額と頭髪の生え際線を結び囲む領域を覆う１枚のシート、顔下部とする頬の下部から鼻下の人中の領域を経てもう一方の頬の下部を結んだ線から下の領域に伸ばして左右下顎両片部から下顎裏部を経て喉元を結ぶ領域を覆う１枚のシートとし、不織布繊維の並びの方向と顔面縦方向との向きを合わせて打ち抜かれて構成される。
【０００８】
鼻部に対応する領域には縦の方向や「ハ」字状に走るミシン目状の切り込み線を複数列に配して一部を開き、下顎部に対応する領域の下顎の横方向に沿って上下の方向で、並列に複数列のミシン目状の切り込み線を配してそれぞれの一部を開き、左右対称の二つに折りにして鼻部に対応する領域は横顔状態での鼻筋とほぼ同形とし、下顎部に対応する領域にはパンのクロワッサン似たる膨らみ出た形状とすることである。
【０００９】
本発明のフェイスマスクの輪郭と切り欠き孔やミシン目状の切り込み線の仕様は、不織布を構成する繊維素材の製法や材質そして目付量の小さい〜１００（ｇ／ｍｍ２）以下に応じて切り込むミシン目の間隔、全体線の長さ、複数列の本数を変えることが必要で、不織布シートの強度が増すとミシン目の間隔を大きく開け、本数も増やす調整の様々になるが、具体例に図２のほぼ顔面を覆う略おにぎり形状とし、不織布シートを構成する繊維はスパンレース仕様の全てコットン素材でシートの目付を６０（ｇ／ｍｍ２）繊維の並びの方向に顔の縦方向を合わせて打ち抜いたフェイスマスクを例にして以下に３つのタイプを示す。
【００１０】
図２のほぼ顔全体を覆うフェイスマスクの大よその形態は、略おむすび型で打ち抜かれ、両眼に対応の切り欠く孔は長軸４５ｍｍ縦軸２０ｍｍの楕円孔を設け、両目尻横からこめかみの領域には波紋に似たる目尻から２ｍｍ、３ｍｍ、４ｍｍ、５ｍｍ、６ｍｍの間隔でミシン目状の切り込み線とつまみ用の突出部を設け、中心の鼻部を覆い立体三角形とするほぼ台形の上底２５ｍｍ下底６５ｍｍ高さ５５ｍｍ領域内には鼻筋の幅を真ん中にして両側の領域のそれぞれに縦方向や「ハ」字状に走る７本のミシン目状の切り込み線を設け、頬部には長軸３５ｍｍ縦軸２５ｍｍの楕円の領域に５ｍｍの等間隔で縦方向に６本のミシン目状の切り込み線を設け、口部に対応の切り欠き孔は長軸５５ｍｍ縦軸１６ｍｍの楕円孔を設ける。
【００１１】
図５のほぼ顔全体に下顎部や下顎両片部に対応する折り返し片部の領域を連続して覆うフェイスマスクの大よその形態は、前記形態の顔の縦方向の下顎部から喉部に３０ｍｍの長さ連続させて加え、下顎部に対応する領域には左右双方から引っ張り下顎を包み込んで力の支点となるパンのクロワッサンに似たる横方向１１０ｍｍ縦方向２０ｍｍ領域に上から下方向に、中央部には間隔を集中させて広がらせ、両端方向には間隔広く全体に２２本のミシン目状の切り込み線を設け、左右双方の上部の縁には引っ張る為のつまみ用の突端部を設ける。
【００１２】
図８のほぼ顔全体に下顎部や下顎両片部に対応する折り返し片部を連続させた縦方向を２３０ｍｍ縦方向の横方向を２１０ｍとする領域を顔上部と下部に分けられたフェイスマスクの大よその構成は、顔上部は鼻下人中から左右頬下部に、鬢の縁からこめかみを経て、左右額の端から頭髪の生え際を経て結び、両眼に対応の切り欠く孔は長軸４５ｍｍ縦軸２０ｍｍの楕円孔を設け、両目尻横からこめかみの領域には波紋に似たる目尻から２ｍｍ、３ｍｍ、４ｍｍ、５ｍｍ、６ｍｍの間隔でミシン目状の切り込み線とつまみ用の突出部を設け、中心の鼻部を覆う立体三角形とするほぼ台形の上底２５ｍｍ下底６５ｍｍ高さ５５ｍｍ領域内には載置する時のシートの強度を保ち目印の役目となる鼻筋の幅を真ん中にして両側の領域のそれぞれに縦方向や「ハ」字状に走る７本のミシン目状の切り込み線を設け、頬部には長軸３５ｍｍ縦軸２５ｍｍの楕円の領域に５ｍｍの等間隔で縦方向に６本のミシン目状の切り込み線を設ける。
【００１３】
顔下部の輪郭は、鼻下人中から左右頬下部に、左右双方の鬢の縁から下顎両片部に、下顎裏部を経て顔の動きの歪で剥がれを生じやすい喉部の喉元の一部を取り除いた形状のカーブを描いた喉もとで結び、口部に対応の切り欠き孔は長軸５５ｍｍ縦軸１６ｍｍの楕円孔を設け、下顎部に対応する領域には左右双方から引っ張り下顎を包み込んで力の支点となるパンのクロワッサンに似たる横方向１１０ｍｍ縦方向２０ｍｍ領域に施す位置を上から揃えて下方向に、中央部にはより広がらせるための間隔を集中させて、両端方向には間隔広く長さを短くして、全体に２２本のミシン目状の切り込み線を設け、左右双方の上部の縁には引っ張る為のつまみ用の突端部を設ける。
【００１４】
使用の際は、二つ折りしたフェイスマスクの縁部に設けたつまみ部分を指でつまんで、観音開き状に開く。この開いたマスクの鼻部を最初の位置あわせ部分として顔の造作に応じて下顎部へ順々にフィットするように顔全体に貼りつける。なお、つまみ部分は、二つ折りしたフェイスマスクの重なった縁部に重なって設けると、つまみにくくマスクを簡単に開くことができないことがある。従って、マスクの縁部に設けるつまみ部分は、左右のつまみをわずかに上下方向にずらせてつまみ相互が重ならないようにするとつまみが容易になる。
【００１５】
本発明のフェイスマスクは、肌への保湿効果の美容対策そして外界刺激の一つである紫外線を肌に到達させない保護の効果とした保護対策の薬液製剤を含浸又は塗布した或いはドライの滅菌処理を行った状態で使用の１回分或いは複数回分を積層して薬事対応のバリヤー袋や医療用具対応の滅菌袋に封入して提供することである。
【００１６】
フェイスマスクの口部に対応する形状は、左右両端部縁をつまみ引っ張り上げる際に、口部に対応の切り欠き孔は長軸５５ｍｍ縦軸１６ｍｍの楕円孔に対応する口部が嵌り引っ張る力の方向が口元で止まるので、引っ張り方向をスムーズに伝える図１０の略縦長の凡そ高さ１０ｍｍ幅６ｍｍで複数の縦長略楕円の孔凡そ５ｍｍ間隔を横一列にして口部の上を覆う形状を引っ張ると略円孔となり呼吸も可能で、左右双方からの引っ張り感が安定して、下の部位の左右両端縁を斜め外方向の下顎両端部に引っ張ると垂れ下がった皮膚組織や皮下組織を引き上げる効果があり接する肌全体に強い密着感が得られる。
【００１７】
フェイスマスクの口部に対応する切り欠き孔は長軸５５ｍｍ縦軸１６ｍｍの楕円孔に嵌る口部には、外界刺激の一つである紫外線があたると日焼けとなるが、小さな複数の略楕円の孔を図１０の略縦長の凡そ高さ１０ｍｍ幅６ｍｍで複数の縦長略楕円の孔凡そ５ｍｍ間隔を横一列にして口部の上を覆う形状を引っ張ると略円孔となり呼吸も可能で、紫外線のあたりも分散できて日焼けも緩和できる。
【課題を解決するための手段】
【００１８】
前記課題を解決するための手段として図１は、本発明のほぼ顔面全体を覆う平面体図２を左右対称の二つに折られて構成される仮面に似たる立体型のフェイスマスクであり、不織布繊維の並びの方向と顔面の縦方向の向きとを合わせて平面体に打ち抜いて鼻部に対応するほぼ台形とする領域には縦方向もしくは「ハ」字状に走るミシン目状の切り込み線を複数列配して一部を開き、二つに折られた線上の鼻部に対応する領域は横顔状態での鼻筋とほぼ同形とする。
【００１９】
使用する際には、二つに折ったフェイスマスクの左右上部縁を持って観音開きのように開けてゆくと鼻の部位が立体三角形となって仮面の裏側に似たる形状となり、位置決めとなる鼻部全体を包み込むイメージに繋がり、装着して個々の鼻の形状に応じて指の腹でなぞると不織布がスリットされていることから容易に伸び広がり小鼻の溝までもフィットさせ、装着がスムーズで載置が容易な形状を特徴とした仮面に似たる立体型のフェイスマスクとなる。
【００２０】
前記課題を解決する為の手段として、図４は顔面全体図１に下顎部や下顎両片部に対応する折り返し片部の領域を連続して加えて覆う平面体の図５を左右対称の二つに折られて構成される仮面に似たる立体型のフェイスマスクであり、下顎に対応する下顎中央部には縦長の複数列のミシン目状の切り込み線を集中させ、下顎両端部に向う間隔は徐々に広めの間隔をとり長さを短く施して一部を開き、二つに折られた線上の下顎に対応する領域はパンのクロワッサンに似たる外に膨らみ出た形状とする。
【００２１】
使用する際には、二つに折ったフェイスマスクの左右上部縁を持って観音開きのように開けてゆくと下顎部はパンに似たるクロワッサンの仮面の裏側に似たる形状となって、位置決めとなる下顎部を包み込むイメージに繋がり、装着して個々の顎部の形状に応じて指の腹でなぞると不織布がスリットされていることから容易に伸び広がり装着がスムーズで載置が簡単な形状を特徴とした仮面に似たる立体型のフェイスマスクとなる。
【００２２】
前記課題を解決する為の手段として、図７は顔面の上半分と顔面の下半分に下顎を経て喉の一部加えて覆う上部と下部に分けられた平面体の図８を左右対称の二つに折られて構成される仮面に似たる立体型でセパレーツタイプのフェイスマスクであり、上部と下部は不織布繊維の並びの方向と顔面の縦方向の向きとを合わせて平面体に打ち抜いて、顔面上部の鼻部に対応するほぼ台形とする領域には縦方向もしくは「ハ」字状に走るミシン目状の切り込み線を複数列配して一部を開き、二つに折られた線上の鼻部に対応する領域は横顔状態での鼻筋とほぼ同じ形とする。
【００２３】
使用する際には、二つに折ったフェイスマスクの左右上部縁を持って観音開きのように開けてゆくと鼻の部位が立体三角形となって仮面の裏側に似たる形状となり、位置決めとなる鼻部全体を包み込むイメージに繋がり、装着して個々の鼻の形状に応じて指の腹でなぞると不織布がスリットされていることから容易に伸び広がり小鼻の溝までもフィットさせ、装着がスムーズで載置が簡単な形状を特徴とした仮面に似たる上部に対応する立体型のフェイスマスクとなる。
【００２４】
顔面下部の下顎に対応する下顎中央部には縦長の複数列のミシン目状の切り込み線を集中させ、下顎両端部に向う間隔は徐々に広めの間隔をとり長さを短く施して一部を開き、二つに折られた線上の下顎に対応する領域はパンのクロワッサンに似たる外に膨らみ出た形状とする。
【００２５】
使用する際には、二つに折ったフェイスマスクの左右上部縁を持って観音開きのように開けてゆくと下顎部はパンに似たるクロワッサンの仮面の裏側に似たる形状となって、位置決めとなる下顎部を包み込むイメージに繋がり、装着して個々の顎部の形状に応じて指の腹でなぞると不織布がスリットされていることから容易に伸び広がり装着がスムーズで載置が簡単な形状を特徴とした仮面に似たる下部に対応する立体型のフェイスマスクとなる。
【００２６】
本発明の立体型フェイスマスクを構成する不織布の繊維素材について、薬事法上の主原料の吸着率を問わない場合は、汎用の素材で立体型フェイスマスクの加工を行うことには問題としない。
【００２７】
ドライ状態である立体型フェイスマスクの滅菌処理条件は、医療雑貨で用いるバリデーション条件で使用の回数分を医療用具の滅菌袋に封入して凡そ４５℃で５時間のＥＯＧ滅菌工程或いはガンマー線の照射の工程を素材に応じて行う。
【００２８】
紫外線を反射或いは遮断させる効果を有する繊維とは、繊維に製剤をコーティングさせるか或いは練り込ませたものである。
【００２９】
肌に紫外線を到達させない製剤とは液剤、散剤、顆粒剤、ゲル剤で、光の遮断剤をシートや繊維に含浸又は塗布するものをいう。
【００３０】
鼻部領域の鼻翼回りを形成する切り込み線が「Ｕ」字状であると切り込みによって生じた間に紫外線が漏れて日焼けの痕やシミの沈着原因になるが、鼻筋に沿って縦方向や「ハ」字状に走るミシン目状の切り込み線を施すと、鼻部の領域を伸び広げて覆うので皮膚生理学にある日焼けの軽減に繋がる。
【００３１】
フェイスマスクを封入した製品の状態で立体の形状を薬事法上定められた一定の期間を維持させる必要がある場合は、立体型形状にした部位に合わせた形状の枠を用いた容器を採用するか、或いは折り方の方法にてミシン目状の切り込み線を配して立体型とした形状を折り合うシートの間に挟み固定する方法であり、すなわち顔の上下の線を左右の対称として二つに折って、同じように円弧の縁と直線上にある突起の形状の端までの真ん中の線で左右に折るか或いは顔の上と下を二つに折り合わせて立体型の形状を固定をする。
【発明の効果】
【００３２】
本発明のほぼ顔面全体を覆う図１の立体型フェイスマスクの効果は、装着がスムーズで容易に載置ができる形状を特徴として、使用する際には、二つに折ったフェイスマスクの上部縁を持って観音開きのように開けてゆくと対応する両眼があり、そして鼻の部位が立体三角形となり、位置決めとなる鼻部全体を包み込むイメージに繋がる構造となるので顔面に装着して個々の鼻の形状に応じて包み込んで、指の腹でなぞると不織布がスリットされていることから容易に伸び広がって小鼻の溝までもフィットさせ、早く対応できる立体型のフェイスマスクであり肌と外界の間には切り欠き孔や切り欠き線を除いてフェイスマスクが存在し、美容方法や外界からの刺激の紫外線から肌を守る手順の中にてリズミカルに載置を行い美容方法は凡そ１５分間で美容の効果を期することができ、紫外線カットの効果は季節や使用する場所によって異なるが、通常２０分程度で日焼けを引き起こす条件下では数時間の効果を期するものとする。
【００３３】
本発明のほぼ顔全体と下顎部から喉部を連続して加えて覆う図４の立体型フェイスマスクの効果は、装着がスムーズで容易に載置ができる形状を特徴として使用する際には、二つに折ったフェイスマスクの上部縁を持って観音開きのように開けてゆくと対応する両眼があり、そして鼻の部位が立体三角形となり、位置決めとなる鼻部全体を包み込むイメージに繋がる構造となるので顔面に装着して個々の鼻の形状に応じて包み込んで、指の腹でなぞると不織布がスリットされていることから容易に伸び広がって小鼻の溝までもフィットさせて、下顎部には対応するパンのクロワッサンに似たる形状となり、続き位置決めとなる下顎全体を包み込むイメージに繋がる構造となるので顔面に装着して個々の下顎の形状に応じて包み込んで、指の腹でなぞると不織布がスリットされていることから容易に伸び広がって下顎両片部から喉部までもフィットさせ、一連して早く対応できる立体型のフェイスマスクであり、肌と外界の間には切り欠き孔や切り欠き線を除いてフェイスマスクが存在して、美容方法や外界からの刺激の紫外線から肌を守る手順の中にてリズミカルに載置を行い美容方法は凡そ１５分間で美容の効果を期することができ、紫外線カットの効果は季節や使用する場所によって異なるのが、通常２０分程度で日焼けを引き起こす条件下では数時間の効果を期するものとする。
【００３４】
本発明の顔面の上半分と顔面の下半分に下顎を経て喉の一部加えて覆う図７の上と下との立体型のセパレーツタイプで、立体型の上部のフェイスマスクの効果は、装着がスムーズで容易に載置ができる形状を特徴として顔面の上部の二つに折ったフェイスマスクの上部縁を持って観音開きのように開けてゆくと対応する両眼があり、そして鼻の部位が立体三角形となり、位置決めとなる鼻部全体を包み込むイメージに繋がる構造となるので顔面に装着して個々の鼻の形状に応じて包み込んで、指の腹でなぞると不織布がスリットされていることから容易に伸び広がって小鼻の溝までもフィットさせる立体型のフェイスマスクであり、肌と外界の間には切り欠き孔や切り欠き線を除いてフェイスマスクが存在し、美容方法や外界からの刺激の紫外線から肌を守る手順の中にてリズミカルに載置を行い美容方法は凡そ１５分間で美容の効果を期することができ、紫外線カットの効果は季節や使用する場所によって異なるのが、通常２０分程度で日焼けを引き起こす条件下では数時間の効果を期するものとする。
【００３５】
下部の立体型フェイスマスクの効果は、二つに折ったフェイスマスクの上部縁を持って観音開きのように開けてゆくと下顎部に対応するパンに似たる形状となり、位置決めとなる下顎全体を包み込むイメージに繋がる構造となるので顔面に装着して個々の下顎の形状に応じて包み込んで、指の腹でなぞると不織布がスリットされていることから容易に伸び広がって下顎両片部から喉部までもフィットさせそれぞれを早く対応させる立体型のフェイスマスクであり、肌と外界の間には切り欠き孔や切り欠き線を除いてフェイスマスクが存在して、美容方法や紫外線を反射させる手順の中にてリズミカルに載置を行い美容方法は凡そ１５分間で美容の効果を期することができ、紫外線カットの効果は季節や使用する場所によって異なるのが、通常２０分程度で日焼けを引き起こす条件下では数時間の効果を期するものとする。
【図面の簡単な説明】
【００３６】
【図１】本発明品でほぼ顔面全体を覆う平面体を立体型に加工され左右対称に折りたたんだ状態のフェイスマスクの平面図
【図２】本発明品でほぼ顔面全体を覆う平面体に打ち抜かれたフェイスマスクの平面図
【図３】本発明品で実施例１のほぼ顔面全体を覆うフェイスマスクの使用状態の説明図
【図４】本発明品でほぼ顔面全体と下顎部から喉部を覆う平面体を立体型に加工され左右対称に折りたたんだ状態のフェイスマスクの平面図
【図５】本発明品でほぼ顔面全体と下顎部から喉部を覆う平面体に打ち抜かれたフェイスマスクの平面図
【図６】本発明品で実施例２のほぼ顔面全体と下顎部から喉部を覆うフェイスマスクの使用状態の説明図
【図７】本発明品でほぼ顔面全体と下顎部から喉部を覆い凡そ顔上半分と顔下半分に分かれたセパレーツの平面体を立体型に加工され夫々を左右対称に折りたたんだ状態のフェイスマスクの平面図
【図８】本発明品でほぼ顔面全体と下顎部から喉部を覆い凡そ顔上半分と顔下半分に分かれたセパレーツの平面体に打ち抜かれたフェイスマスクの平面図
【図９】本発明品で実施例３のほぼ顔面全体と下顎部から喉部を覆うフェイスマスクで、凡そ顔上半分と顔下半分に分かれたセパレーツの使用状態の説明図
【図１０】口部に対応する略縦長で複数の横一列の楕円孔を示す図
【図１１】本発明品でほぼ顔面全体を覆う平面体のフェイスマスクを打ち抜く状況の平面図
【図１２】本発明品でほぼ顔面全体と下顎部から喉部を覆う平面体のフェイスマスクを打ち抜く状況の平面図
【図１３】本発明品でほぼ顔面全体と下顎部から喉部を覆い凡そ顔上半分と顔下半分に分かれたセパレーツの平面体のフェイスマスクを打ち抜く状況の平面図
【発明を実施するための形態】
【００３７】
本発明は、繊維素材を用いた不織布シートの繊維の並びの方向と顔面の縦方向の向きとを合わせ打ち抜いた平面体で、図２の顔面の全体を覆う輪郭や図５の顔面の全体に下顎両片部を経て喉の一部加えて覆う輪郭、図８の顔面の上半分を覆う輪郭そして顔面下半分から喉の一部を覆う輪郭に対応させた形状に打ち抜いて、左右対称とした二つに折られた図２から図１に、図５から図４に、図８から図７とした上部左右の縁部を持って観音開きに似たる開きを行うと仮面に似たる鼻部は立体型の三角形になり、図５から図４、図８から図７の下顎の領域は左右両端を引っ張ることでパンのクロワッサンに似たる形状となる。
【００３８】
顔の上の部位には左右両眼部に対応する個所に略横長の楕円孔を、左右の目じりからこめかみにかけての部分に対応した個所には波紋状に広がる弓状の複数本のミシン目を入れ、かつその外側の二つ折りの縁部分につまみ用突出部を引っ張ることでフィットさせ、左右の頬の隆起に対応する上から下に縦の方向に等間隔で中央部は長く端部に至ると短くしたミシン目状の切り込み線を設け、口部に対応する切り欠き孔又は複数で一列の略縦長の楕円孔を設けると共に、鼻に対応する鼻翼の付け根から鼻尖を経て、もう片方の鼻尖の付け根部分に、さらにその上の眼の付け根に至り、もう片側の目の付け根までに、そしてその下の鼻翼を結ぶ線に囲まれるほぼ台形の領域に、上底から下底の方向に、縦方向、もしくはやや斜め方向の「ハ」字状に走る複数列のミシン目状の切り込み線を設け、下顎部に対応するするクロワッサンに似たる領域には縦方向に並列したミシン目状の切り込み線を複数列配して刃型で打ち抜くことによって作成され、顔面の鼻筋から下顎中心部を通り左右対称の二つ折りにした構成の立体型のフェイスマスクとする。
【実施例】
【００３９】
本発明の実施例の形態を立体型のフェイスマスクの図１、図４、図７に基づいて説明をする。
【００４０】
実施例１はほぼ顔面全体を覆う図１の立体型フェイスマスクの使用状態で、顔の上下を結ぶ左右対称とする鼻筋を通る縦線を真ん中として概ね左右対称に折り重ねており、二つに折られた上部の縁を持って観音開きのように開けてゆくと顔に面する立体型の裏面にあたる鼻の部位が立体三角形となり、位置決めとなる鼻部全体を包み込むイメージに繋がる構造となっているのであてがうように装着して個々の鼻の形状に応じて包み込み、指の腹でなぞると不織布がスリットされていることから容易に伸び広がって小鼻の溝までもフィットさせて覆い、フェイスマスクの装着がスムーズで載置が簡単な形状を特徴としている立体型のフェイスマスクである。
【００４１】
実施例２のほぼ顔面全体と下顎部から喉部を加え連続して覆う図４の立体型フェイスマスクの使用状態で、実施例１のフェイスマスクに下顎両片部から喉部までの用法と効果を求める為に、下顎部や下顎両片部に対応する折り返し片部の領域を加えたほぼ顔面から下顎両片部を経て喉部までを覆うタイプで、実施例１を行って次に
位置決めとなる下顎全体を包み込むイメージに繋がる構造となるので顔面に装着して個々の下顎の形状に応じて包み込んで、指の腹でなぞると不織布がスリットされていることから容易に伸び広がって下顎両片部から喉部までを載置して、下部の左右双方の突端部を引き上げると、顔に面する立体型の裏面にあたる下顎ラインのクロワッサンに似たる領域は不織布の繊維がスリットされていて、不織布の横に伸びやすいという特性とが相俟って伸び広がり、すなわち下顎左右両端部のシートを持ち観音開きに似たる開き、左右双方の突端部を引き上げることで中央部を引っ張り、そして下顎を包みリフトの力の支点とする機能が作用して、フェイスマスクに接する肌には密着感と引っ張り感を強く体感できて、装着がスムーズで載置が簡単な形状を特徴とした立体型のフェイスマスクである。
【００４２】
実施例３の顔面全体と下顎部から喉部を加えて覆うフェイスマスクを、凡そ顔上半分と顔下半分に分かれた図７のセパレーツタイプの使用状態で、平面体に打ち抜かれた平面体図８を左右対称の二つに折られて構成される立体型のフェイスマスクであり、顔上半分の二つに折られた上部を持って観音開きのように開けてゆくと顔に面する立体型の裏面にあたる鼻の部位が立体三角形となり、位置決めとなる鼻部全体を包み込むイメージに繋がる構造となっているのであてがうように装着して個々の鼻の形状に応じて包み込み、指の腹でなぞると不織布がスリットされていることから容易に伸び広がって小鼻の溝までもフィットさせ、左右双方の頬部の丘状にはフィット感が得られる形状であり、上部に対応する装着がスムーズで載置が簡単な形状を特徴とした立体型でセパレーツタイプのフェイスマスクである。
【００４３】
顔下半分の二つに折られた上部を持って観音開きのように開けてゆくと顔に面する立体型の裏面にあたる下顎部の部位がパンに似たるクロワッサンとなり、位置決めとなる下顎全体を包み込むイメージに繋がる構造となるので顔面に装着して個々の下顎の形状に応じて包み込んで、指の腹でなぞると不織布がスリットされていることから容易に伸び広がって下顎両片部から喉部までもフィットさせ、左右双方の突端部を引き上げることで中央部を引っ張り、そして下顎を包みリフトの力の支点とする機能が作用して、フェイスマスクに接する肌には密着感と引っ張り感を強く体感できて、装着がスムーズで載置が簡単な形状を特徴とした立体型のフェイスマスクである。
【００４４】
装着する上部と下部の順序は問わないが、下半分の左右両端部を引っ張って下顎から両片部そして両頬部を固定した後に上半分の装着を行うと、上部の左右両頬のシートで下半分の突端部位のシートを覆い固定を強固にすることになって肌への体感に好ましく、装着がスムーズで載置が簡単な形状を特徴とした装着がスムーズで載置が簡単な形状を特徴とした下部に対応する立体型でセパレーツタイプのフェイスマスクである。
【００４５】
図１１〜図１３は、不織布シートから本発明の平面体のフェイスマスクを打ち抜く状況
を示した平面図（説明図）である。
【符号の説明】
【００４６】
１  本発明品のフェイスマスクの輪郭
２  両眼部に対応する切り欠き孔
３  こめかみ部のアール状のミシン目状切り込み線
４  鼻部のミシン目状の切り込み線
５  両頬部のミシン目状の切り込み線
６  鼻下端部に対応する切り込み線
７  口部に対応する切り欠き孔
８  下顎部のミシン目状の切り込み線
９  上部こめかみ部のつまみ用突出部分
１０  下部下顎両端部のつまみ用突端部分
１１  フィット調整の切り込み線
１２  不織布ロール
１３  不織布シートの繊維の並び方向
１４  不織布シートの横の方向
１５  口部に対向する横一列の略楕円型の切り欠き孔
１６  下顎片部を深く覆う輪郭
【図１】
2011125610.tif 000003
【図２】
2011125610.tif 000004
【図３】
2011125610.tif 000005
【図４】
2011125610.tif 000006
【図５】
2011125610.tif 000007
【図６】
2011125610.tif 000008
【図７】
2011125610.tif 000009
【図８】
2011125610.tif 000010
【図９】
2011125610.tif 000011
【図１０】
2011125610.tif 000012
【図１１】
2011125610.tif 000013
【図１２】
2011125610.tif 000014
【図１３】
2011125610.tif 000015